(57)【要約】      （修正有）【課題】コンロ脇の引出において確実に緩衝装置を作動させることが可能なキッチン収納庫を提供する。【解決手段】コンロの脇に引出（コンロ脇引出２００）が設置されたキッチン収納庫（キッチン）であって、キャビネットに対して引出を走行させるレール２０６、３００と、引出の下部に取り付けられレールの下側に突出する爪部材２１０と、レールの下方に設置され爪部材を下方からキャッチしてキャビネットの奥に向かって引き込む緩衝装置３１０と、引出に上方から当接して該引出がレールから浮き上がることを抑えるガイドローラ３２０とを備えた。【選択図】図５
2014033861.tif 000002
【特許請求の範囲】
【請求項１】
コンロの脇に引出が設置されたキッチン収納庫であって、
キャビネットに対して前記引出を走行させるレールと、
前記引出の下部に取り付けられ前記レールの下側に突出する爪部材と、
前記レールの下方に設置され前記爪部材を下方からキャッチして前記キャビネットの奥に向かって引き込む緩衝装置と、
前記引出に上方から当接して該引出が前記レールから浮き上がることを抑えるガイドローラとを備えたことを特徴とするキッチン収納庫。
【請求項２】
前記ガイドローラは、前記引出の側壁の上面が当接する位置に配置されていることを特徴とする請求項１に記載のキッチン収納庫。
【請求項３】
前記ガイドローラは、前記キャビネットの開口部近傍に配置されていることを特徴とする請求項１または２に記載のキッチン収納庫。
【請求項４】
前記ガイドローラは前記ブラケットに２つ取り付けられ、
前記引出に対して前記２つのガイドローラが平行に配置されることを特徴とする請求項４に記載のキッチン収納庫。
【発明の詳細な説明】
【技術分野】
【０００１】
本発明は、コンロの脇に引出が設置されたキッチン収納庫に関する。
【背景技術】
【０００２】
キッチン収納庫に設けられた引出は、収納力を高めるために大小様々な引出が設けられている。これらの引出はレール機構を用いている場合が多いが、開閉を円滑にするための付加的な構成を備えている場合がある。
【０００３】
特許文献１には、引出の脱輪防止の構成が提案されている。特許文献１に記載の構成では、引出の箱の後方上端に水平面内で回転するローラを設け、キャビネット壁面には引出の開放端でローラを受けるガイドレールを設けている。これにより引出を閉める際に端側を押した場合でも、引出が回転運動をせずにスムーズに平行移動すると述べている。
【０００４】
特許文献２には、引出の引き込みをアシストし、緩やかに閉じる、いわゆるソフトクローズ機能を提供するための緩衝装置が記載されている。特許文献２に記載の緩衝装置においては、ダンパーを備えたピストンロッドの先端にキャッチ部材を連結している。一方、引出には爪部材（ストライカー）を設けていて、キャッチ部材が下方から係合する。引出を引き出すと爪部材がキャッチ部材から離脱し、引出を閉める際に再び爪部材がキャッチ部材と係合する構成となっている。
【０００５】
一方、特許文献３に記載されているように、キッチン収納庫にはコンロの脇に引出が設置されているものがある。コンロ脇の引出はスペースを有効利用する目的で設置され、コンロとキャビネットの寸法に依存して引出の寸法が決定する。このためコンロ脇の引出は一般に幅が狭く、奥行き方向に細長い引出となる。
【先行技術文献】
【特許文献】
【０００６】
【特許文献１】特開２００８−１７８６１７号公報
【特許文献２】特開２０１０−２６９１７６号公報
【特許文献３】特開２００９−０１１４０４号公報
【発明の概要】
【発明が解決しようとする課題】
【０００７】
特許文献１に記載の引出は大型のものが対象となっていて、収容物も重量のあるものが想定されている。このため特許文献１で引出の円滑な開閉を阻害するものは引出のゆがみによる脱輪であった。このため、左右方向の移動を規制する水平ローラとガイドレールによって特許文献１では課題を解決している。
【０００８】
しかしながらコンロ脇の引出においては、軽く小さな引出である。このため、引出自身のゆがみは問題とならず、上下方向のがたつきが問題となる。そして上下方向にがたつきが生じた場合、特許文献２に記載したような緩衝装置を用いると、爪部材がキャッチ部材を乗り越えてしまってソフトクローズ機能が作動しないという問題がある。
【０００９】
そこで本発明は、コンロ脇の引出において確実に緩衝装置を作動させることが可能なキッチン収納庫を提供することを目的としている。
【課題を解決するための手段】
【００１０】
上記課題を解決するために、本発明の代表的な構成は、コンロの脇に引出が設置されたキッチン収納庫であって、キャビネットに対して引出を走行させるレールと、引出の下部に取り付けられレールの下側に突出する爪部材と、レールの下方に設置され爪部材を下方からキャッチしてキャビネットの奥に向かって引き込む緩衝装置と、引出に上方から当接して該引出がレールから浮き上がることを抑えるガイドローラとを備えたことを特徴とする。
【００１１】
上記構成によれば、幅が狭く奥行き方向に細長いコンロ脇の引出において、上下方向のがたつきを抑えることができる。したがって引出の爪部材が緩衝装置のキャッチ部材を乗り越えてしまうことがなく、確実に緩衝装置を作動させることが可能となる。
【００１２】
ガイドローラは、引出の側壁の上面が当接する位置に配置されていることが好ましい。これにより引出に特別の構造を設ける必要がなく、簡略な構造とすることができる。
【００１３】
ガイドローラは、キャビネットの開口部近傍に配置されていることが好ましい。これにより、より確実に爪部材とキャッチ部材とを係合させることができる。
【００１４】
ガイドローラはブラケットに２つ取り付けられ、引出に対して２つのガイドローラが平行に配置されることが好ましい。これにより引出の水平性を保ちやすくなり、より効果的に浮き上がりを抑えることができる。
【発明の効果】
【００１５】
本発明によれば、コンロ脇の引出において確実に緩衝装置を作動させることが可能なキッチン収納庫を提供することができる。
【図面の簡単な説明】
【００１６】
【図１】本実施形態にかかるキッチンの外観図である。
【図２】コンロ脇引出を説明する図である。
【図３】コンロキャビネット側の構成を説明する図である。
【図４】コンロ脇引出をコンロキャビネットに取り付けた状態を説明する図である。
【図５】ガイドローラがある場合とない場合を比較する図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
本実施形態ではキッチン収納庫の例としてシステムキッチンを例に用いて説明する。図１は、本実施形態にかかるキッチン１００の外観図である。キッチン１００は、加熱調理器としてのコンロ１１０が設置されているコンロキャビネット１２０と、水栓１３０およびシンク１４０が設置されているシンクキャビネット１５０と、調理スペース１６０が設けられていて食器洗い機等を収容可能なベースキャビネット１７０との３つのキャビネットで構成されている。
【００１９】
コンロ脇引出２００は、コンロ１１０の脇において、キャビネットに対しスライド自在に設けられている。図１においてコンロ脇引出２００はコンロ１１０の片側（図では左側）のみに設けられているが、コンロ１１０の構成によっては両側に設置されていてもよい。以下、本実施形態にかかるコンロ脇引出２００を詳細に説明する。
【００２０】
図２はコンロ脇引出２００を説明する図であって、図２（ａ）は後方斜視図、図２（ｂ）は下面斜視図である。図２（ａ）に示すように、コンロ脇引出２００は、天面が開放された箱状の枠体２０２と、枠体２０２の前面に設けられた前板２０４と、枠体２０２の両側面に設けられた引出側レール２０６と、キャビネット側レールを走行するローラ２０８を備えている。引出側レール２０６は断面が逆Ｌ字型の部材であって、枠体２０２の壁面に沿う側面２０６ａ（取付面）と、壁面から立設する上リブ２０６ｂとを有している。引出側レール２０６は、キャビネット側レールと組となって、コンロキャビネット１２０に対してコンロ脇引出２００を走行させる。
【００２１】
また図２（ｂ）に示すように、コンロ脇引出２００の下部に爪部材２１０が取り付けられている。爪部材２１０は、ブロック状の部材であって、その先端２１０ａがキャビネット側レール３００の下側に突出する。そして爪部材２１０は、後述する緩衝装置３１０のキャッチ部材３１２と係合する。
【００２２】
図３はコンロキャビネット１２０側の構成を説明する図であって、図３（ａ）は一方の壁面を示す図、図３（ｂ）は他方の壁面を示す図である。図４はコンロ脇引出２００をコンロキャビネット１２０に取り付けた状態を説明する図であって、図４（ａ）はレールを説明する図、図４（ｂ）（ｃ）は緩衝装置のキャッチ部材３１２を説明する図、図４（ｄ）はガイドローラ３２０を説明する図である。
【００２３】
図３（ａ）に示すように、一方の壁面にはキャビネット側レール３００、緩衝装置３１０、およびガイドローラ３２０が設けられている。図３（ｂ）に示すように、他方側の壁面にはキャビネット側レール３００のみが設けられている。緩衝装置３１０およびガイドローラ３２０は左右どちらの壁面に設けられていてもいいが、これらは同じ壁面に設ける。
【００２４】
キャビネット側レール３００は、コンロキャビネット１２０の開口部１２２から奥に向かって延びるように設けられる。キャビネット側レール３００は断面コの字状の部材であって、コンロキャビネット１２０の壁面に沿う側面３００ａ（取付面）と、側面３００ａの上辺から立設する上リブ３００ｂ、下辺から立設する下リブ３００ｃを備えている。キャビネット側レール３００の開口部側端部には、引出側レール２０６を走行させるローラ３０２を備えている。
【００２５】
図４（ａ）では、レールについて理解を容易とするために、緩衝装置３１０およびガイドローラ３２０を省略している。引出側レール２０６の上リブ２０６ｂは、キャビネット側レール３００の上リブ３００ｂの下側（内側）に位置する。引出側の上リブ２０６ｂは、キャビネット側のローラ３０２の上を走行する。引出側のローラ２０８は引出側の上リブ２０６ｂから外れた位置にあり、キャビネット側の上リブ３００ｂまたは下リブ３００ｃのいずれかに接して走行する。ただしガイドローラ３２０がない状態では、引出側レール２０６はキャビネット側レール３００に対して上下方向に大きながたつきを有している。
【００２６】
図３（ａ）に示すように、キャビネット側レール３００の下方には、緩衝装置３１０が備えられている。緩衝装置３１０は内部にダンパーを備えたピストンロッドを備え（不図示）、ピストンロッドの先端にキャッチ部材３１２を連結している。キャッチ部材３１２は下方からコンロ脇引出２００の爪部材２１０と係合する。
【００２７】
コンロ脇引出２００を引き出すと、爪部材２１０によってキャッチ部材３１２が引き出された上で、図４（ｂ）に示すように爪部材２１０がキャッチ部材３１２から離脱する。コンロ脇引出２００が引き出されるときに、緩衝装置３１０では内部の引張バネにエネルギーが蓄えられる。キャッチ部材３１２は、爪部材２１０が離脱するときには、水平移動しているときよりも低い位置に移動し、緩衝装置３１０の本体にラッチされる。コンロ脇引出２００を閉める際には、図４（ｃ）に示すように、再びキャッチ部材３１２が爪部材２１０に下方から係合する。詳しくは、爪部材２１０がキャッチ部材３１２に衝突してこれを引き起こして、キャッチ部材３１２のラッチが解除される。これにより、緩衝装置３１０の内部の引張バネによってコンロ脇引出２００が引き込まれると共に、ダンパによって緩やかに閉じる構成となっている。
【００２８】
ガイドローラ３２０は、図３（ａ）に示すように、キャビネット側レール３００の上方に設置されている。そして図４（ｄ）に示すように、ガイドローラ３２０はコンロ脇引出２００の枠体２０２の側壁の上面２０２ａに上方から当接して、コンロ脇引出２００がキャビネット側レール３００から浮き上がることを抑える。このように側壁の上面２０２ａに当接することにより、コンロ脇引出２００に特別の構造を設ける必要がなく、簡略な構造とすることができる。
【００２９】
ガイドローラ３２０はブラケット３２２に取り付けられていて、ブラケット３２２はガイドローラ３２０の回転軸より上方でコンロキャビネット１２０に取り付けられている。
【００３０】
またガイドローラ３２０はブラケット３２２に２つ取り付けられていて、コンロ脇引出の上面２０２ａに対して２つのガイドローラ３２０が平行に配置されている。これにより、コンロ脇引出２００の水平性を保ちやすくなり、より効果的に浮き上がりを抑えることができる。
【００３１】
図５はガイドローラ３２０がある場合とない場合を比較する図である。図５（ａ）に示すようにガイドローラ３２０がある場合には、コンロ脇引出２００はキャビネット側レール３００から浮き上がることがなく、上下方向のがたつきを抑えることができる。したがってコンロ脇引出２００の爪部材２１０が緩衝装置３１０のキャッチ部材３１２を乗り越えてしまうことがなく、図５（ｂ）に示すように、確実に緩衝装置３１０を作動させることが可能となる。
【００３２】
一方、ガイドローラ３２０がない場合には、がたつきによりコンロ脇引出２００が上方に移動可能である。このため図５（ｃ）に示すように、爪部材２１０の先端２１０ａがキャビネット側レールの下リブ３００ｃとキャッチ部材３１２の隙間を通り、すなわちキャッチ部材３１２を乗り越えて奥に入ってしまう場合がある。このような状態となると、緩衝装置３１０の利益を得られないばかりか、次回にコンロ脇引出２００を引き出す際に爪部材２１０がキャッチ部材３１２に後側からつっかえるため、かえって使い心地が悪い印象を与えてしまうおそれがある。
【００３３】
これに対し本発明によれば、幅が狭く奥行き方向に細長いコンロ脇の引出において、安価な汎用のレール２０６、３００を用いつつも、ガイドローラ３２０を設けるという簡単で構成によって上下方向のがたつきをなくし、確実に緩衝装置を作動させることができる。
【００３４】
なお、ガイドローラ３２０は、コンロキャビネット１２０の開口部１２２近傍に配置されていることが好ましい。換言すれば、キャッチ部材３１２よりも開口部１２２側に配置されていることが好ましい。これにより、より確実に爪部材２１０とキャッチ部材３１２とを係合させることができる。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、コンロの脇に引出が設置されたキッチン収納庫として利用することができる。
【符号の説明】
【００３７】
１００…キッチン、１１０…コンロ、１２０…コンロキャビネット、１２２…開口部、１３０…水栓、１４０…シンク、１５０…シンクキャビネット、１６０…調理スペース、１７０…ベースキャビネット、２００…コンロ脇引出、２０２…枠体、２０２ａ…上面、２０４…前板、２０６…引出側レール、２０６ａ…側面、２０６ｂ…上リブ、２０８…ローラ、２１０…爪部材、２１０ａ…先端、３００…キャビネット側レール、３００ａ…側面、３００ｂ…上リブ、３００ｃ…下リブ、３０２…ローラ、３１０…緩衝装置、３１２…キャッチ部材、３２０…ガイドローラ、３２２…ブラケット
【図１】
2014033861.tif 000003
【図２】
2014033861.tif 000004
【図３】
2014033861.tif 000005
【図４】
2014033861.tif 000006
【図５】
2014033861.tif 000007